(57)【要約】【課題】サイズの低減とコストの低減とを図った高周波モジュールを使用することにより、電子機器の小型化、低コスト化を図る。【解決手段】高周波モジュール２１と、フラッシュメモリ２２と、機器本体用回路部２３とを備えて構成される。機器本体用回路部２３は、電子機器本来の機能を果たすための回路部であり、高周波モジュール２１は、通信機能のための１チップＩＣ内にＲＦトランシーバ部、ベースバンド処理部、及び、ＢＤアドレス及びＲＦ性能情報のデフォルト値が格納されたＲＯＭを備えて構成される。ＩＣを覆うカバーの上面には、ＢＤアドレス及びＲＯＭ内のデフォルト値の調整を行うための送信パワー、周波数等のＲＦ性能情報を書き込んだバーコードが設けられる。調整のための情報は、高周波モジュールが電子機器等に組み込まれた時点で決定されてバーコードに記録され、電子機器に備えられているフラッシュメモリの一部の領域に書き込まれて使用される。【選択図】      図２
2004228766.tif 000002
【特許請求の範囲】
【請求項１】
無線送受信部及びディジタル信号処理部を有する高周波モジュールと、電子機器内部で該電子機器本来の機能を果たすために使用されるフラッシュメモリとを備える電子機器において、前記高周波モジュールに固有のアドレスと、前記無線送受信部からの送信出力信号のパワーを含む性能調整のための設定情報とを、前記フラッシュメモリに格納したことを特徴とする電子機器。
【発明の詳細な説明】
【０００１】
【発明の属する技術分野】
本発明は、電子機器に係り、特に、ブルートゥース（Ｂｌｕｅｔｏｏｔｈ）モジュール、無線ＬＡＮモジュール、テレビチューナ、ＦＭチューナ等の高周波部分の性能調整のための情報を有してそれぞれの機能を実行する高周波モジュールを備えた電子機器に関する。
【０００２】
【従来の技術】
高周波部分の性能調整のための情報を有してそれぞれの機能を実行する高周波モジュールの代表的なものとして、例えば、ブルートゥースモジュールが知られている。ブルートゥースモジュールは、一般に、ＲＦトランシーバチップと、ベースバンドチップと、書き換え可能なフラッシュメモリ等の記憶媒体とにより構成され、フラッシュメモリにブルートゥースデバイス（ＢＤ）アドレス及び送信パワー、周波数等のＲＦ性能情報を書き込んでおき、この書き込まれているレジストリーの情報によりＲＦトランシーバチップ内のＲＦ性能の調整を行うようにされている。
【０００３】
一方、近年、ブルートゥースモジュールは、ＲＦトランシーバ部と、ベースバンド処理部と、ＲＯＭとを１つにチップＩＣとして構成されて提供されるようになってきている。このような１チップＩＣによるブルートゥースモジュールは、ＲＯＭ内にＢＤアドレス及びＲＦ性能情報のデフォルト値が格納されて提供されるが、電子機器等にブルートゥースモジュールが組み込まれて使用される場合、ＲＦ性能の調整を行う必要があり、デフォルト値として格納されて提供されるＲＦ性能情報そのまま使用することができないものである。
【０００４】
そこで、さらに最近では、前述したような１チップＩＣによるブルートゥースモジュールと、ＢＤアドレス及び送信パワー、周波数等のＲＦ性能情報を書き込み可能な数ｋビットの容量を持つＥＥＰＲＯＭとを１枚の基板上に載置した構成の高周波モジュールが使用されるようになってきている。
【０００５】
図３は１チップＩＣによるブルートゥースモジュールとＥＥＰＲＯＭとを有する従来技術による高周波モジュールの構成を示す図であり、以下、図３により従来技術による高周波モジュールについて説明する。図３において、１１は１チップＩＣ、１２はＥＥＰＲＯＭ、１３は基板、１４はカバーである。
【０００６】
従来技術による高周波モジュールは、図３にその例を示すように、基板１３上に、ブルートゥースモジュールによる通信のための１チップＩＣ１１とＥＥＰＲＯＭ１２とを載置し、全体をカバー１４により覆って構成されている。１チップＩＣ１１は、すでに説明したように、ＲＦトランシーバ部、ベースバンド処理部、及び、ＢＤアドレス及びＲＦ性能情報のデフォルト値が格納されたＲＯＭにより構成され、また、ＥＥＰＲＯＭ１２は、ＢＤアドレス及びＲＯＭ内のデフォルト値の調整を行うための送信パワー、周波数等のＲＦ性能情報を書き込むことが可能にされている。
【０００７】
なお、前述したＲＦトランシーバチップ、ベースバンドチップ、及び、書き換え可能なフラッシュメモリ等の記憶媒体とにより構成されるブルートゥースモジュールに関する従来技術として、例えば、非特許文献１等に記載された技術が知られている。また、前述したような高周波モジュールを使用する電子機器に関する従来技術として、例えば、特許文献１等に記載された技術が知られている。
【０００８】
【非特許文献１】
宮津  和弘著「Ｂｌｕｅｔｏｏｔｈガイドブック」（日刊工業新聞社  ２０００年９月２０日発行、第６８頁〜第７８頁）
【０００９】
【特許文献１】
特開平１１−３０１８０９号公報
【００１０】
【発明が解決しようとする課題】
前述で説明した従来技術による通信機能のための１チップＩＣとＥＥＰＲＯＭとにより構成される高周波モジュールは、１チップＩＣに含まれるＲＯＭに書き込まれているデフォルト値の調整を行うための送信パワー、周波数等のＲＦ性能情報を書き込むＥＥＰＲＯＭがブルートゥースモジュールを構成する１チップＩＣとは別体として高周波モジュールに組み込んだ構成とされている。このため、前述した従来技術による高周波モジュールは、基板上にＥＥＰＲＯＭを配置するスペースを必要とし、高周波モジュール全体のサイズが大きくなり、また、コスト増を招くという問題点を有している。この結果、前述した従来技術による高周波モジュールを使用して構成される電子機器は、電子機器自体の小型化、低コスト化を図ることが困難であるという問題点を生じる。
【００１１】
本発明の目的は、前述した従来技術による高周波モジュールの問題点を解決し、基板上に配置するＥＥＰＲＯＭを不要とし、かつ、通信のための１チップＩＣに含まれるＲＯＭに書き込まれているデフォルト値の調整を行うことができるようにした高周波モジュールを使用した電子機器を提供することにある。
【００１２】
【課題を解決するための手段】
本発明によれば前記目的は、無線送受信部及びディジタル信号処理部を有する高周波モジュールと、電子機器内部で該電子機器本来の機能を果たすために使用されるフラッシュメモリとを備える電子機器において、前記高周波モジュールに固有のアドレスと、前記無線送受信部からの送信出力信号のパワーを含む性能調整のための設定情報とを、前記フラッシュメモリに格納したことにより達成される。
【００１３】
前述した手段を備える本発明による電子機器は、そのサイズを低減させ、かつ、低コストの高周波モジュールの使用により、電子機器自体の小型化、低コスト化を図ることができる。
【００１４】
【発明の実施の形態】
以下、本発明による電子機器の実施形態を図面により詳細に説明する。
【００１５】
図１は本発明の一実施形態による電子機器に使用する高周波モジュールの構成を説明する斜視図である。図１において、１５はバーコードであり、他の符号は図３の場合と同一である。
【００１６】
本発明の実施形態で使用する高周波モジュールは、図１に示すように、基板１３上に、ブルートゥースモジュールとしての通信機能のための１チップＩＣ１１のみを載置し、全体をカバー１４により覆って構成されている。１チップＩＣ１１は、すでに説明したように、ＲＦトランシーバ部、ベースバンド処理部、及び、ＢＤアドレス及びＲＦ性能情報のデフォルト値が格納されたＲＯＭにより構成される。そして、カバー上面には、モジュール固有のアドレス及びＲＯＭ内のデフォルト値の調整を行うための送信パワー、周波数等のＲＦ性能情報を書き込んだ１次元または２次元のバーコード１５が設けられている。このバーコード１５は、刻印によりカバー１４上に設けられてもよく、あるいは、印刷したラベルを貼付てカバー１４上に設けられてもよい。
【００１７】
バーコード１５に書き込まれる調整のための送信パワー、周波数等のＲＦ性能情報は、本発明の実施形態による高周波モジュールが電子機器等のセット内に組み込まれてその電子機器が動作状態になったときに必要となるものであり、このため、これらの情報は、高周波モジュールが電子機器等のセット内に組み込まれた時点で決定されてバーコード１５として記録され、かつ、電子機器等が備えていて、その電子機器本来の機能を達成するためのフラッシュメモリの一部の領域に書き込まれて使用される。
【００１８】
なお、バーコード１５としての２次元のバーコードは、種々のものが知られているが、本発明は、どのような種類のものであっても使用することができる。
【００１９】
前述した本発明の実施形態は、１チップＩＣにより構成されるブルートゥースモジュールに本発明を適用したものとして説明したが、本発明は、他の無線通信用モジュール、例えば、無線ＬＡＮ用のモジュールに対しても適用することができ、また、同調部にバラクタダイオードを備えるチューナに対しても適用することができる。
【００２０】
前述した本発明の実施形態に使用する高周波モジュールは、ＢＤアドレス及びＲＯＭ内のデフォルト値の調整を行うための送信パワー、周波数等のＲＦ性能情報を書き込んだバーコード１５をカバー１４の上面に設けているので、ＥＥＰＲＯＭを不要とすることができ、モジュールのサイズを低減させることができ、かつ、コストの低減を図ることができる。
【００２１】
図２は前述した高周波モジュールを使用して構成した本発明の一実施形態による電子機器について説明する図である。図２において、２１は高周波モジュール、２２はフラッシュメモリ、２３は機器本体用回路部である。
【００２２】
本発明の実施形態による電子機器は、例えば、携帯電話機、ＰＤＡ等の携帯情報処理装置等であってよく、前述で説明した高周波モジュール２１と、フラッシュメモリ２２と、機器本体用回路部２３とを備えて構成される。
【００２３】
機器本体用回路部２３は、図示電子機器の本来の機能を果たすための回路部であり、電子機器が例えば携帯電話機である場合、携帯電話機としての通信機能、音声送受信のための音声信号の処理機能、メールの送受信のためのデータ処理機能等の機能を実行する。また、この場合、高周波モジュール２１は、ブルートゥースモジュールとしての１チップＩＣ１１を備えるモジュールとするのがよく、ＰＣ等の他の電子機器との通信に利用される。また、フラッシュメモリ２２は、電話番号簿、発着信の履歴、メールの保存等のために使用され、また、前述で説明したように、その一部の領域が、１チップＩＣ１１のバーコード１５に書き込まれた調整のための送信パワー、周波数等のＲＦ性能情報の保持のために使用される。
【００２４】
また、電子機器が、ＰＤＡである場合、高周波モジュール２１は、無線ＬＡＮモジュールとして構成するのがよく、外出先の無線ＬＡＮ設備を備えて各種の情報サービスを可能にしているホットスポットで、その電子機器を使用して各種の情報サービスを受ける場合に使用される。
【００２５】
また、電子機器が、テレビ、ＦＭ等のチューナである場合、チューナの上面等に、同調部を構成するバラクタダイオードの調整用のＲＦ性能情報を書き込んだバーコードを貼付しておき、その情報をチューナの内部に含まれる選局用の情報を格納しているフラッシュメモリに格納して使用するようにすればよい。
【００２６】
前述したような本発明の実施形態による電子機器は、使用されている高周波モジュールのサイズが小さなものとなっているので、電子機器自体の小型化、低コスト化を図ることができる。
【００２７】
【発明の効果】
以上説明したように本発明によれば、基板上に配置するＥＥＰＲＯＭを不要とし、かつ、１チップＩＣに含まれるＲＯＭに書き込まれているデフォルト値の調整を行うことができるようにして、サイズの低減とコストの低減とを図った高周波モジュールを使用しているので、電子機器自体の小型化、低コスト化を図ることができる。
【図面の簡単な説明】
【図１】本発明の一実施形態による電子機器に使用する高周波モジュールの構成を説明する斜視図である。
【図２】本発明の一実施形態による電子機器について説明する図である。
【図３】１チップＩＣによるブルートゥースモジュールとＥＥＰＲＯＭとを有する従来技術による高周波モジュールの構成を示す図である。
【符号の説明】
１１  １チップＩＣ
１２  ＥＥＰＲＯＭ
１３  基板
１４  カバー
１５  バーコード
２１  高周波モジュール
２２  フラッシュメモリ
２３  機器本体用回路部
【図１】
2004228766.tif 000003
【図２】
2004228766.tif 000004
【図３】
2004228766.tif 000005